(57)【要約】【課題】広告主が、広告マッチングを募集する印刷面数を指定できる広告マッチング装置を提供すること。【解決手段】用紙の種別に応じた印刷面数のうち、第２広告を募集する印刷面数を情報として含む第１広告の第１広告情報の登録を第１広告主端末から受け付ける登録部と、第２広告主端末から第２広告の第２広告情報の登録を受け付ける登録部と、第１広告主端末から第１広告の広告画像、第２広告主端末から第２広告を募集する印刷面数の第２広告の広告画像の登録を受け付ける登録部と、第１広告の選択情報を受信した場合、選択情報に対応する第１広告主端末に申請情報を送信し、第１広告主端末から申請情報に対する承認情報を受信すると、共に発送する第１広告の広告画像、第２広告を募集する印刷面数の第２広告の広告画像、及び第１広告主が有する顧客の宛先情報を、用紙に印刷する印刷画像の生成に利用するデータとして対応付けるマッチング部と、を備える広告マッチング装置で上記課題を解決する。【選択図】図３
2020123170.tif 000002
【特許請求の範囲】
【請求項１】
印刷画像を印刷する用紙の種別に応じた印刷面数のうち、第２広告を募集する印刷面数を情報として含む第１広告の第１広告情報の登録を第１広告主が操作する第１広告主端末から受け付ける第１広告登録部と、
第２広告主が操作する第２広告主端末から前記第２広告の第２広告情報の登録を受け付ける第２広告登録部と、
前記第１広告主端末から前記第１広告の広告画像の登録と、前記第２広告主端末から前記第２広告を募集する印刷面数の前記第２広告の広告画像の登録と、を受け付ける広告画像登録部と、
前記第１広告の選択情報を前記第２広告主端末から受信した場合、前記選択情報に対応する第１広告主の前記第１広告主端末に申請情報を送信し、前記第１広告主端末から前記申請情報に対する承認情報を受信すると、共に発送する前記第１広告の広告画像、前記印刷面数に対応する前記第２広告の広告画像、及び第１広告主が有する顧客の宛先情報を、前記用紙に印刷する前記印刷画像の生成に利用するデータとして対応付ける広告マッチング部と、
を備える広告マッチング装置。
【請求項２】
前記第１広告登録部は、前記印刷画像を印刷する用紙の種別の選択を受け付け、選択を受け付けた前記用紙の印刷面数のうち、前記第２広告を募集する印刷面数の選択を受け付けること
を特徴とする請求項１記載の広告マッチング装置。
【請求項３】
前記第１広告登録部は、前記印刷画像を印刷する用紙の種別の選択を受け付けると、選択を受け付けた前記用紙の印刷面数のうち、前記第２広告を募集する印刷面数が異なる前記印刷画像の複数の面付けパターンを前記第１広告主端末に表示して、前記面付けパターンを第１広告主に選択させることで、前記第２広告を募集する印刷面数の選択を受け付けること
を特徴とする請求項１又は２記載の広告マッチング装置。
【請求項４】
前記広告マッチング部は、前記第１広告情報に含まれる前記主広告の選択情報を受信する期間が経過するまでに、前記第１広告主端末から前記申請情報に対する承認情報を受信しなければ、前記第２広告を募集する印刷面数の前記第２広告の広告画像の替わりの画像、前記第１広告の広告画像、及び第１広告主が有する顧客の宛先情報を、前記用紙に印刷する前記印刷画像の生成に利用するデータとして対応付けること
を特徴とする請求項１乃至３何れか一項記載の広告マッチング装置。
【請求項５】
印刷画像を印刷する用紙の種別に応じた印刷面数のうち、第１広告を募集する印刷面数を情報として含む第２広告の第２広告情報の登録を第２広告主が操作する第２広告主端末から受け付ける第２広告登録部と、
第１広告主が操作する第１広告主端末から第１広告の第１広告情報の登録を受け付ける第１広告登録部と、
前記第１広告主端末から前記第１広告を募集する印刷面数の前記第１広告の広告画像の登録と、前記第２広告主端末から前記第２広告の広告画像の登録と、を受け付ける広告画像登録部と、
前記第２広告の選択情報を前記第１広告主端末から受信した場合、前記選択情報に対応する第２広告主の前記第２広告主端末に申請情報を送信し、前記第２広告主端末から前記申請情報に対する承認情報を受信すると、共に発送する前記第１広告を募集する印刷面数の前記第１広告の広告画像、前記第２広告の広告画像、及び第１広告主が有する顧客の宛先情報を、前記用紙に印刷する前記印刷画像の生成に利用するデータとして対応付ける広告マッチング部と、
を備える広告マッチング装置。
【請求項６】
前記第２広告登録部は、前記印刷画像を印刷する用紙の種別の選択を受け付け、選択を受け付けた前記用紙の印刷面数のうち、前記第１広告を募集する印刷面数の選択を受け付けること
を特徴とする請求項５記載の広告マッチング装置。
【請求項７】
前記第２広告登録部は、前記印刷画像を印刷する用紙の種別の選択を受け付けると、選択を受け付けた前記用紙の印刷面数のうち、前記第１広告を募集する印刷面数が異なる前記印刷画像の複数の面付けパターンを前記第２広告主端末に表示して、前記面付けパターンを第２広告主に選択させることで、前記第１広告を募集する印刷面数の選択を受け付けること
を特徴とする請求項５又は６記載の広告マッチング装置。
【請求項８】
コンピュータを、
印刷画像を印刷する用紙の種別に応じた印刷面数のうち、第２広告を募集する印刷面数を情報として含む第１広告の第１広告情報の登録を第１広告主が操作する第１広告主端末から受け付ける主広告登録部、
第２広告主が操作する第２広告主端末から第２広告の副広告情報の登録を受け付ける第２広告登録部、
前記第１広告主端末から前記第１広告の広告画像の登録と、前記第２広告主端末から前記第２広告を募集する印刷面数の前記第２広告の広告画像の登録と、を受け付ける広告画像登録部、
前記第１広告の選択情報を前記第２広告主端末から受信した場合、前記選択情報に対応する第１広告主の前記第１広告主端末に申請情報を送信し、前記第１広告主端末から前記申請情報に対する承認情報を受信すると、共に発送する前記第１広告の広告画像、前記第２広告を募集する印刷面数の前記第２広告の広告画像、及び第１広告主が有する顧客の宛先情報を、前記用紙に印刷する前記印刷画像の生成に利用するデータとして対応付ける広告マッチング部、
として機能させるためのプログラム。
【請求項９】
広告マッチング装置と、印刷画像を印刷する印刷装置と、がデータ通信可能に接続された広告マッチングシステムであって、
前記広告マッチング装置は、
印刷画像を印刷する用紙の種別に応じた印刷面数のうち、第２広告を募集する印刷面数を情報として含む第１広告の第１広告情報の登録を第１広告主が操作する第１広告主端末から受け付ける第１広告登録部と、
第２広告主が操作する第２広告主端末から第２広告の第２広告情報の登録を受け付ける第２広告登録部と、
前記第１広告主端末から前記第１広告の広告画像の登録と、前記第２広告主端末から前記第２広告を募集する印刷面数の前記第２広告の広告画像の登録と、を受け付ける広告画像登録部と、
前記第１広告の選択情報を前記第２広告主端末から受信した場合、前記選択情報に対応する第１広告主の前記第１広告主端末に申請情報を送信し、前記第１広告主端末から前記申請情報に対する承認情報を受信すると、共に発送する前記第１広告の広告画像、前記第２広告を募集する印刷面数の前記第２広告の広告画像、及び第１広告主が有する顧客の宛先情報を、前記用紙に印刷する前記印刷画像の生成に利用するデータとして対応付ける広告マッチング部と、
を備え、
前記印刷装置は、前記対応付けられた、共に発送する前記第１広告の広告画像、前記第２広告を募集する印刷面数の前記第２広告の広告画像、及び第１広告主が有する顧客の宛先情報を利用して生成された前記印刷画像を印刷すること
を特徴とする広告マッチングシステム。
【発明の詳細な説明】
【技術分野】
【０００１】
本発明は、広告マッチング装置、プログラム及び広告マッチングシステムに関する。
【背景技術】
【０００２】
紙の広告を顧客に発送する広告主には、できるだけ送料などのコストをかけずに広告を発送したいという要望がある。このような要望に応えるために、従来、同一の宛先への広告の発送を希望する広告主の広告をマッチングし、複数の広告をまとめて発送することにより、各広告のコストを削減する方法が提案されている。
【先行技術文献】
【特許文献】
【０００３】
【特許文献１】特開２００２−３５１９２３号公報
【特許文献２】特開２０１３−９７５２８号公報
【発明の概要】
【発明が解決しようとする課題】
【０００４】
しかしながら、上記従来の方法では、広告の宛先が一致するか否かという単純なマッチングしかできなかった。このため、上記従来の方法では、広告主は、コストを削減できるものの、印刷画像を印刷する用紙の種別に応じた印刷面数のうち、マッチングを募集する印刷面数を指定したマッチングができなかった。
【０００５】
本発明の一実施形態は、広告主が、広告マッチングを募集する印刷面数を指定できる広告マッチング装置を提供することを目的とする。
【課題を解決するための手段】
【０００６】
上記の目的を達成するため、本発明の一実施形態は、印刷画像を印刷する用紙の種別に応じた印刷面数のうち、第２広告を募集する印刷面数を情報として含む第１広告の第１広告情報の登録を第１広告主が操作する第１広告主端末から受け付ける第１広告登録部と、第２広告主が操作する第２広告主端末から前記第２広告の第２広告情報の登録を受け付ける第２広告登録部と、前記第１広告主端末から前記第１広告の広告画像の登録と、前記第２広告主端末から前記第２広告を募集する印刷面数の前記第２広告の広告画像の登録と、を受け付ける広告画像登録部と、前記第１広告の選択情報を前記第２広告主端末から受信した場合、前記選択情報に対応する第１広告主の前記第１広告主端末に申請情報を送信し、前記第１広告主端末から前記申請情報に対する承認情報を受信すると、共に発送する前記第１広告の広告画像、前記印刷面数に対応する前記第２広告の広告画像、及び第１広告主が有する顧客の宛先情報を、前記用紙に印刷する前記印刷画像の生成に利用するデータとして対応付ける広告マッチング部と、を備える広告マッチング装置である。
【発明の効果】
【０００７】
本発明の一実施形態によれば、広告主が、広告マッチングを募集する印刷面数を指定できる。
【図面の簡単な説明】
【０００８】
【図１】広告マッチングシステムの構成の一例を示す図である。
【図２】広告マッチング装置のハードウェア構成の一例を示す図である。
【図３】広告マッチング装置の機能構成の一例を示す図である。
【図４】顧客情報の一例を示すテーブルである。
【図５】広告主情報の一例を示すテーブルである。
【図６】主広告情報の一例を示すテーブルである。
【図７】副広告情報の一例を示すテーブルである。
【図８】広告マッチング情報の一例を示すテーブルである。
【図９】広告の登録処理の一例を示すシーケンス図である。
【図１０】広告マッチングシステムのトップ画面の一例を示すイメージ図である。
【図１１】主広告登録受付処理の一例を示すフローチャートである。
【図１２】主広告情報登録画面の一例を示すイメージ図である。
【図１３】テンプレート選択画面の一例を示すイメージ図である。
【図１４Ａ】使用広告面数指定画面の一例を示すイメージ図である。
【図１４Ｂ】使用広告面数指定画面の一例を示すイメージ図である。
【図１５】広告画像アップロード画面の一例を示すイメージ図である。
【図１６】広告画像アップロード画面の一例を示すイメージ図である。
【図１７】副広告登録受付処理の一例を示すフローチャートである。
【図１８】主広告一覧画面の一例を示すイメージ図である。
【図１９】副広告情報登録画面の一例を示すイメージ図である。
【図２０】申請の承認処理の一例を示すシーケンス図である。
【図２１】申請承認画面の一例を示すイメージ図である。
【図２２】申請広告主情報画面の一例を示すイメージ図である。
【図２３】申請状況確認画面の一例を示すイメージ図である。
【図２４】承認結果に応じた処理の一例を示すフローチャートである。
【図２５】印刷発注処理の一例を示すフローチャートである。
【図２６】広告マッチングが不成立であった場合の印刷業者への発注処理の一例を示すフローチャートである。
【図２７】広告マッチングが成立の場合と不成立の場合との印刷画像の違いの一例を示す図である。
【図２８】広告マッチング装置からの印刷発注の一例を示すシーケンス図である。
【図２９】副広告情報登録画面の一例を示すイメージ図である。
【発明を実施するための形態】
【０００９】
以下、本発明の各実施形態について、添付の図面を参照しながら説明する。なお、各実施形態に係る明細書及び図面の記載に関して、実質的に同一の機能構成を有する構成要素については、同一の符号を付することにより重畳した説明を省略する。
【００１０】
＜第１実施形態＞
広告マッチングシステム１００は、ダイレクトメール（以下、ＤＭと呼ぶ）の発送のために顧客情報を提供する複数の広告主（以下、主広告主または第１広告主と呼ぶ）の広告と、主広告主と一緒にＤＭを発送したい複数の広告主（以下、副広告主または第２広告主と呼ぶ）の広告と、を広告マッチングしたＤＭの発送準備を行うシステムである。
【００１１】
まず、広告マッチングシステム１００の構成について説明する。図１は、広告マッチングシステム１００の構成の一例を示す図である。広告マッチングシステム１００は、主広告主端末１Ａ〜１Ｃと、副広告主端末２Ａ〜２Ｃと、広告マッチング装置３と、印刷装置４と、印刷業者端末５と、印刷装置６と、を備える。なお、主広告主端末１Ａ〜１Ｃは主広告主端末１（第１広告主端末の一例）と総称する。また、副広告主端末２Ａ〜２Ｃは副広告主端末２（第２広告主端末の一例）と総称する。
【００１２】
主広告主端末１、副広告主端末２、広告マッチング装置３、印刷装置４、印刷業者端末５は、ネットワークＮを介して接続されている。ネットワークＮは、ＬＡＮ（Local Area Network）やインターネットを含むネットワークである。図１では印刷装置６が印刷業者端末５とネットワークＮを介さずにローカル接続される例を示したが、これに限らない。
【００１３】
主広告主端末１は、それぞれ主広告主が所有するコンピュータである。主広告主端末１はＰＣ（Personal Computer）、タブレット端末、又はスマートフォンであるが、これに限られない。なお、広告マッチングシステム１００に含まれる主広告主端末１の数は任意である。
【００１４】
主広告主は、広告マッチングシステム１００を利用する広告主のうち、広告マッチング装置３にＤＭの宛先を提供する広告主である。主広告主は、自身が所有する主広告主端末１を利用して自身の広告（以下、主広告と呼ぶ）を広告マッチング装置３に登録する。主広告は、主広告主が提供した宛先に発送するＤＭに印刷される。
【００１５】
副広告主端末２は、それぞれ副広告主が所有するコンピュータである。副広告主端末２はＰＣ、タブレット端末、又はスマートフォンであるが、これに限られない。なお、広告マッチングシステム１００に含まれる副広告主端末２の数は任意である。
【００１６】
副広告主は、広告マッチングシステム１００を利用する広告主のうち、広告マッチング装置３にＤＭの宛先を提供せず、主広告主と一緒にＤＭを発送する広告主である。副広告主は、自身が所有する副広告主端末２を利用して自身の広告（以下、副広告と呼ぶ）を広告マッチング装置３に登録する。副広告は、主広告主が提供した宛先に発送するＤＭに印刷される。
【００１７】
広告マッチング装置３は、主広告主から登録された主広告（第１広告の一例）と、副広告主から登録された副広告（第２広告の一例）と、を広告マッチングするコンピュータである。広告マッチング装置３は、例えばＰＣ又はサーバで実現してもよいし、複数のコンピュータからなるシステムにより実現してもよいし、クラウドコンピューティングにより実現してもよい。
【００１８】
広告マッチングシステム１００は、主広告主からの主広告の登録を受け付け、その主広告と一緒に副広告をＤＭで発送したい副広告主から広告マッチングの申請を受け付ける。広告マッチングシステム１００は、申請を承認した主広告主の主広告と、申請を承認された副広告主の副広告と、主広告主が有する顧客の宛先情報と、を一緒のＤＭに印刷する広告として対応付ける（広告マッチングする）。
【００１９】
印刷装置４は、広告マッチング装置３からの印刷要求を受け付け、広告マッチング装置３で広告マッチングされた顧客の宛先情報、主広告及び副広告をＤＭに印刷する。広告マッチングシステム１００には、複数の印刷装置４が含まれてもよい。また、広告マッチングシステムの印刷装置４は、ネットワークＮを介さずに広告マッチング装置３に直接接続されていてもよい。
【００２０】
また、印刷業者端末５は、印刷業者が所有するコンピュータである。印刷業者端末５はＰＣ、タブレット端末、又はスマートフォンであるが、これに限られない。印刷業者端末５は、広告マッチング装置３からの印刷発注を受け付け、印刷発注に応じた印刷を印刷装置６に要求する。印刷装置６は印刷業者端末５からの印刷要求を受け付け、広告マッチング装置３で広告マッチングされた顧客の宛先、主広告及び副広告をＤＭに印刷する。なお、図１の広告マッチングシステム１００に含まれる印刷業者端末５及び印刷装置６の数は任意である。
【００２１】
次に、広告マッチングシステム１００のハードウェア構成について説明する。図２は広告マッチング装置３のハードウェア構成の一例を示す図である。図２の例では広告マッチング装置３が１つのコンピュータにより構成される場合を想定している。広告マッチング装置３は、ＣＰＵ（Central Processing Unit）３０１と、ＲＯＭ（Read Only Memory）３０２と、ＲＡＭ（Random Access Memory）３０３と、ＨＤＤ（Hard Disk Drive）３０４と、を備える。また、広告マッチング装置３は、入力装置３０５と、表示装置３０６と、通信インタフェース３０７と、システムバス３０８と、を備える。
【００２２】
ＣＰＵ３０１は、プログラムを実行することにより、広告マッチング装置３の各構成を制御し、広告マッチング装置３の機能を実現する。
【００２３】
ＲＯＭ３０２は、ＣＰＵ３０１が実行するプログラム（ＢＩＯＳ（Basic Input Output System）など）や各種のデータを記憶する。ＲＡＭ３０３は、ＣＰＵ３０１に作業領域を提供する。ＨＤＤ３０４は、ＣＰＵ３０１が実行するプログラム（ＯＳ（Operating System）など）や各種のデータを記憶する。
【００２４】
入力装置３０５はユーザの操作に応じた情報を広告マッチング装置３に入力する。入力装置３０５は、タッチパネル、キーボード、マウス等であるが、これに限られない。表示装置３０６は、ユーザの操作に応じた画面を表示する。表示装置３０６は、液晶ディスプレイ、有機ＥＬ（Electro Luminescence）ディスプレイ、又はプラズマディスプレイ等であるが、これに限られない。
【００２５】
通信インタフェース３０７は、広告マッチング装置３をネットワークＮに接続するインタフェースである。広告マッチング装置３は、通信インタフェース３０７を介して、主広告主端末１、副広告主端末２、印刷装置４、及び印刷業者端末５を含む外部装置と通信する。また、システムバス３０８は、ＣＰＵ３０１、ＲＯＭ３０２、ＲＡＭ３０３、ＨＤＤ３０４、入力装置３０５、表示装置３０６、及び通信インタフェース３０７を相互に接続する。
【００２６】
なお、広告マッチング装置３のハードウェア構成は、図２の例に限られない。例えば、広告マッチング装置３は、各種の周辺機器を備えてもよい。また、主広告主端末１、副広告主端末２、及び印刷業者端末５のハードウェア構成は、広告マッチング装置３と同様であるため、説明を省略する。
【００２７】
次に、広告マッチング装置３の機能構成について説明する。図３は、広告マッチング装置３の機能構成の一例を示す図である。図３の広告マッチング装置３は、主広告登録部１０と、副広告登録部１２と、広告画像登録部１４と、広告マッチング部１６と、印刷発注部１８と、宛先情報記憶部２０と、広告主情報記憶部２２と、主広告情報記憶部２４と、副広告情報記憶部２６と、広告画像記憶部２８と、広告マッチング情報記憶部３０と、を備える。
【００２８】
主広告登録部１０と、副広告登録部１２と、広告画像登録部１４と、広告マッチング部１６と、印刷発注部１８とは、ＣＰＵ３０１がプログラムを実行し、他の構成と協働することにより実現される。宛先情報記憶部２０と、広告主情報記憶部２２と、主広告情報記憶部２４と、副広告情報記憶部２６と、広告画像記憶部２８と、広告マッチング情報記憶部３０とは、ＨＤＤ３０４により実現される。
【００２９】
主広告登録部１０は、第１広告登録部の一例であり、主広告主端末１を操作する主広告主からＤＭの宛先情報、後述の主広告情報（第１広告情報の一例）の登録を受け付ける。副広告登録部１２は、副広告主端末２を操作する副広告主から後述の副広告情報（第２広告情報の一例）の登録を受け付ける。広告画像登録部１４は、主広告主端末１を操作する主広告主及び副広告主端末２を操作する副広告主からＤＭに印刷する広告画像の登録を受け付ける。
【００３０】
広告マッチング部１６は、主広告主からの登録を受け付けた主広告と一緒に副広告をＤＭで発送したい副広告主から広告マッチングの申請を受け付ける。また、広告マッチング部１６は副広告主からの広告マッチングの申請に対する主広告主の承認結果（承認、仮承認又は取下げ）に基づき、後述するような承認結果に応じた処理を行う。
【００３１】
印刷発注部１８は、後述するように広告マッチングが成立すれば、申請を承認した主広告主の広告画像と、申請を承認された副広告主の広告画像と、主広告主が有する顧客の宛先情報と、を利用して、印刷装置４や印刷業者端末５への印刷発注を行う。
【００３２】
また、印刷発注部１８は、後述するように広告マッチングが不成立となれば、主広告の広告画像と、主広告主が有する顧客の宛先情報と、を利用して、印刷装置４や印刷業者端末５への印刷発注を行う。なお、印刷発注部１８は、広告マッチングが不成立となった場合に、主広告の広告画像と、主広告主が有する顧客の宛先情報と、の他に、汎用広告などの画像を利用して、印刷装置４や印刷業者端末５への印刷発注を行うようにしてもよい。
【００３３】
宛先情報記憶部２０は、図４の顧客情報からＤＭの宛先として選択された宛先情報を記憶するテーブルである。図４は顧客情報の一例を示すテーブルである。図４の各レコードが各顧客の顧客情報に相当する。
【００３４】
図４の顧客情報は、顧客ＩＤ、氏名、住所、電話番号、年齢、性別、及び趣味を項目として含む。顧客ＩＤは、顧客の識別情報である。氏名、住所、及び電話番号は、顧客の氏名、住所、及び電話番号である。年齢、性別、及び趣味は、顧客の年齢、性別、及び趣味である。
【００３５】
主広告主は、図４のような顧客情報を参照して、ＤＭを発送する顧客を選択し、選択した顧客の顧客情報の少なくとも一部を、ＤＭの宛先情報として広告マッチング装置３に登録する。宛先情報は、顧客の氏名及び住所を含むが、これに限られない。例えば、主広告主は、ゴルフ用品を宣伝するＤＭを発送する場合、顧客情報を参照して、趣味がゴルフである顧客を選択し、当該顧客の氏名及び住所（宛先）を、宛先情報として広告マッチング装置３に登録する。
【００３６】
図５は広告主情報記憶部２２に記憶された広告主情報の一例を示すテーブルである。図５の各レコードが、広告マッチングシステム１００を主広告主又は副広告主として利用可能な広告主の広告主情報に相当する。図５の広告主情報は、広告主ＩＤ、会社名、１つ以上の業種を項目として含む。広告主ＩＤは、広告主の識別情報である。会社名は、広告主の会社名である。１つ以上の業種は、広告主の業種である。
【００３７】
図６は主広告情報記憶部２４に記憶された主広告情報の一例を示すテーブルである。図６の主広告情報は、主広告ＩＤ、主広告主ＩＤ、ＤＭ名、発送予定日、掲載期間、発送予定部数、葉書種別、募集広告面数、宛先エリア、ＤＭターゲット性別、ＤＭターゲット年齢、及びＤＭターゲット趣味が項目として含まれる。
【００３８】
主広告情報は主広告に関する情報である。主広告ＩＤは、主広告の識別情報である。主広告主ＩＤは、主広告主の広告主ＩＤである。ＤＭ名は、主広告の名称である。発送予定日はＤＭを発送する予定日である。掲載期間は、その主広告が広告マッチング装置３に掲載される期間であって、主広告主が副広告主を募集する期間である。発送予定部数は主広告主が発送するＤＭの予定部数である。
【００３９】
葉書種別は、ＤＭに利用する葉書の種類を表している。葉書種別「１枚もの」は普通葉書などの印刷面数が２面ある葉書を示している。葉書種別「２枚もの」は２つ折りの圧着葉書などの印刷面数が４面ある葉書を示している。葉書種別「３枚もの」は３つ折りの圧着葉書などの印刷面数が６面ある葉書を示している。
【００４０】
募集広告面数は、ＤＭの印刷面数のうち、副広告主を募集する面数を示している。宛先エリアは、ＤＭを発送する宛先（ＤＭを発送する顧客の住所）を含むエリアである。ＤＭターゲット性別、ＤＭターゲット年齢、及びＤＭターゲット趣味は、ＤＭターゲット情報の一例であって、ＤＭを発送する顧客の性別、年齢、及び趣味を示している。
【００４１】
図７は副広告情報記憶部２６に記憶された副広告情報の一例を示すテーブルである。図７の副広告情報は、副広告ＩＤ、副広告主ＩＤ、ＤＭ名、発送予定日、承認希望日、及び発送予定部数が項目として含まれる。
【００４２】
副広告情報は副広告に関する情報である。副広告ＩＤは、副広告の識別情報である。副広告主ＩＤは、副広告主の広告主ＩＤである。ＤＭ名は、副広告の名称である。発送予定部はＤＭを発送する予定日である。承認希望日は、副広告主が希望する後述の承認の期限日を示している。発送予定部数は副広告主が発送したいＤＭの予定部数である。
【００４３】
広告画像記憶部２８は、主広告主から登録された主広告の広告画像（画像データ又は文書データ）を、当該主広告の主広告情報と対応付けて記憶する。また、広告画像記憶部２８は、副広告主から登録された副広告の広告画像（画像データ又は文書データ）を、当該副広告の副広告情報と対応付けて記憶する。さらに、広告画像記憶部２８は、汎用広告などの画像（画像データ又は文書データ）を記憶する。
【００４４】
図８は、広告マッチング情報記憶部３０に記憶された広告マッチング情報の一例を示すテーブルである。図８に示す広告マッチング情報は、主広告ＩＤ、副広告ＩＤ、発送申請部数、及びステータスが項目として含まれる。広告マッチング情報は、副広告主が主広告との広告マッチングを申請することで、その申請に対応するレコードが追加される。
【００４５】
主広告ＩＤは広告マッチングを申請された主広告ＩＤを示す。副広告ＩＤは広告マッチングを申請した副広告主の副広告ＩＤを示す。発送申告部数は、副広告主が広告マッチングにより発送したいＤＭの申請部数である。ステータスは、そのレコードの申請の状態を示し、承認待ち、承認、仮承認、取下げなどを表している。
【００４６】
ところで、本実施形態において、副広告主は、広告マッチング装置３に登録された主広告の中から、自身が登録した副広告と共にＤＭを発送したい主広告を選択し、その主広告の主広告主に対して、広告マッチングの申請を行うことができる。また、主広告主は副広告主から受け付けた広告マッチングの申請を承認することで、主広告と副広告とを共にＤＭに印刷して発送できる。
【００４７】
主広告と副広告とを共にＤＭに印刷して発送するとは、主広告及び副広告を１つの郵便物として発送する形態の一例である。広告マッチングの申請を承認すると、主広告は、当該主広告の発送予定部数のうち副広告の発送予定部数だけ副広告と共に発送され、主広告の残りの発送予定部数だけ単独で発送される。このように、主広告と副広告とを共にＤＭに印刷して発送することにより、送料を主広告主及び副広告主で分担し、主広告主及び副広告主のコストを削減することができる。また、副広告主は広告マッチング装置３に登録された主広告の中から、広告マッチングの申請を行う主広告を選択できるので、意図しない主広告主や意図しない主広告と広告マッチングされることもない。さらに、主広告主は広告マッチングの申請を承認できるので、意図しない副広告主や意図しない副広告と広告マッチングされることもない。
【００４８】
なお、副広告登録部１２は、副広告主が自身の副広告と共にＤＭを発送したい主広告を選択するための検索エンジンを有している。副広告主が自身の副広告と共にＤＭを発送したい主広告として望ましい主広告の検索条件を入力すると、当該検索条件を満たす主広告が副広告登録部１２により提示される。副広告主は、副広告登録部１２により提示された主広告の中から、所望の主広告を選択できる。検索条件には、１つ以上の任意の主広告情報の項目（宛先エリア、ＤＭターゲット趣味など）や広告主情報の項目（業種など）を利用できる。
【００４９】
また、印刷発注部１８は印刷装置４のように印刷を実行するための印刷画像データを添付して印刷発注を行う必要がある場合、印刷画像生成機能を利用して、広告画像と顧客の宛先情報とを含む印刷画像データを生成する。また、印刷発注部１８は印刷装置６のように必ずしも印刷画像データを添付して印刷発注を行う必要がない場合、広告画像と顧客の宛先情報とを添付して印刷発注を行うようにしてもよい。
【００５０】
なお、広告画像は主広告と共に発送する副広告が承認されなかった場合、主広告の広告画像となる。一方、広告画像は主広告と共に発送する副広告が承認された場合、主広告の広告画像と副広告の広告画像となる。
【００５１】
印刷発注部１８は、主広告と共に発送する副広告が承認され、印刷装置４に印刷発注を行う場合、主広告の発送予定部数のうち、副広告の発送予定部数だけ、主広告の広告画像と、副広告の広告画像と、ＤＭを発送する顧客の宛先情報と、を含む印刷画像データを生成する。また、印刷発注部１８は、主広告の残りの発送予定部数だけ、主広告の広告画像と、ＤＭを発送する顧客の宛先情報と、を含む印刷画像を生成する。
【００５２】
例えば、ＤＭに利用する葉書の種類が２つ折りの圧着葉書である場合、印刷発注部１８は副広告の発送予定部数だけ、主広告の広告画像と、副広告の広告画像と、ＤＭを発送する顧客の宛先情報と、を含む２つ折りの圧着葉書用の印刷画像を生成すればよい。２つ折りや３つ折りの圧着葉書などを利用することにより、主広告及び副広告が印刷された葉書を１つの郵便物として発送できる。
【００５３】
次に、広告マッチングシステム１００の処理について説明する。図９は広告の登録処理の一例を示すシーケンス図である。ステップＳ１０において、まず、主広告主は、主広告主端末１から広告マッチング装置３にログインする。ログインに成功すると、広告マッチング装置３はステップＳ１２に進み、図１０に示すようなトップ画面１０００を主広告主端末１に表示させる。
【００５４】
図１０は広告マッチングシステム１００のトップ画面１０００の一例を示すイメージ図である。図１０のトップ画面１０００は、主広告主が主広告の登録処理に進むための「一緒にＤＭ（ダイレクトメール）を送信する広告主を募集する。」ボタンと、副広告主が副広告の登録処理に進むための「募集に応募する。」ボタンと、申請状況の確認処理に進むための「申請状況の確認」ボタンと、印刷状況の確認処理に進むための「印刷状況の確認」ボタンと、が含まれている。
【００５５】
主広告主により「一緒にＤＭ（ダイレクトメール）を送信する広告主を募集する。」ボタンがマウス等によるクリック操作やタッチパネルへのタッチ操作により押下されると、主広告主端末１はステップＳ１４に進み、図１１に示す主広告登録受付処理を行う。図１１は主広告登録受付処理の一例を示すフローチャートである。なお、本実施形態では、主広告主または副広告主が、入力装置３０５を用いて各種画面に表示されている各種ボタンを選択することを「押下」としている。
【００５６】
ステップＳ５０において、主広告主端末１は主広告主からＤＭの宛先情報の登録を受け付ける。主広告主は、例えば図４に示した顧客情報から、ＤＭを発送する顧客の宛先情報を作成する。ステップＳ５２に進み、主広告主端末１は図１２に示すような主広告情報登録画面１１００を表示して、主広告主から主広告情報の登録を受け付ける。図１２は主広告情報登録画面１１００の一例を示すイメージ図である。
【００５７】
図１２の主広告情報登録画面１１００では、主広告情報の一例として、ＤＭ名、発送予定日、掲載期間、発送予定部数、宛先エリア、ＤＭターゲット性別、ＤＭターゲット年齢及びＤＭターゲット趣味を主広告主に登録させる。その後、主広告主は、主広告情報登録画面１１００の「登録する」ボタンを押下する。なお、掲載期間の最終日は発送予定日及び発送予定部数からＤＭを発送するまでの作業量を考慮し、自動的に登録されるようにしてもよい。
【００５８】
「登録する」ボタンが押下されると、主広告主端末１はステップＳ５４に進み、図１３に示すテンプレート選択画面１２００を表示して、主広告主からテンプレートの選択を受け付ける。図１３はテンプレート選択画面１２００の一例を示すイメージ図である。
【００５９】
図１３のテンプレート選択画面１２００では、葉書種別の一例として「１枚もの」「２枚もの」又は「３枚もの」のテンプレートからＤＭに利用するテンプレートの選択を受け付ける。例えば印刷面数が４面ある葉書をＤＭで利用したければ主広告主は「２枚もの」のテンプレートを選択すればよい。
【００６０】
その後、主広告主はテンプレート選択画面１２００の「使用広告枚数の指定」ボタンを押下することで、図１４Ａ又は図１４Ｂに示す使用広告面数指定画面１３００を主広告主端末１に表示させることができる。図１４Ａ及び図１４Ｂは、使用広告面数指定画面１３００の一例を示すイメージ図である。図１４Ａ及び図１４Ｂの使用広告面数指定画面１３００では、図１３で選択したテンプレートの印刷面数のうち、副広告主を募集する面数（募集広告面数）を主広告主に選択させる。
【００６１】
図１４Ａ及び図１４Ｂの使用広告面数指定画面１３００は図１３で「２枚もの」のテンプレートが選択された場合の例を示している。図１４Ａの使用広告面数指定画面１３００では「選択」ボタンの押下により主広告主から募集広告面数「１」「２」又は「３」の選択を受け付ける。主広告主から募集広告面数の選択を受け付けると、主広告主端末１は図１３のテンプレート選択画面１２００の表示に戻る。なお、図１４に示すテンプレートを主広告主に選択させる他に、主広告主によって、主広告主が使用する広告面を指定できるようにしてもよい。例えば、図１４Ｂに示すように、入力装置３０５を介して、主広告主が広告に使用する面をＡ面〜Ｄ面の中から選択できるようにしてもよい。また、主広告主端末１は、主広告主により選択された募集広告面数と、主広告主が広告に利用する広告面の情報を受け付ける。
【００６２】
ステップＳ５６に進み、主広告主端末１は図１３のテンプレート選択画面１２００を表示して、主広告主からテンプレートに応じた広告画像の登録（広告画像のファイル選択）を受け付ける。主広告主は図１３のテンプレート選択画面１２００から広告画像を登録することができる。なお、広告画像の登録は図１５示すような広告画像アップロード画面１４００又は図１６に示すような広告画像アップロード画面１５００から行えるようにしてもよい。図１５は広告画像アップロード画面１４００の一例を示すイメージ図である。図１６は広告画像アップロード画面１５００の一例を示すイメージ図である。
【００６３】
図９に戻り説明を続ける。ステップＳ１４の主広告登録受付処理が終了すると、主広告主端末１はステップＳ１６に進み、主広告主から登録されたＤＭの宛先情報、主広告情報及び広告画像の登録要求を広告マッチング装置３に送信する。なお、ステップＳ１６の処理は、ＤＭの宛先情報、主広告情報及び広告画像の登録要求を複数回に分けて要求してもよい。
【００６４】
ステップＳ１６の登録要求を受信した広告マッチング装置３はステップＳ１８の主広告登録処理を行う。ステップＳ１８の主広告登録処理において、広告マッチング装置３は当該主広告に主広告ＩＤを割り当て、主広告情報記憶部２４に保存（登録）する。
【００６５】
また、広告マッチング装置３は主広告主端末１から受信したＤＭの宛先情報を主広告ＩＤと対応付けて宛先情報記憶部２０に保存（登録）する。さらに、広告マッチング装置３は主広告主端末１から受信した広告画像と、募集広告面数と、主広告主が広告に利用する広告面の情報とを主広告ＩＤと対応付けて広告画像記憶部２８に保存（登録）する。これにより、主広告ＩＤを介して、主広告情報とＤＭの宛先情報と主広告の広告画像とが対応付けられる。ステップＳ１０〜Ｓ１８の処理により、主広告主は自身の主広告を広告マッチング装置３に登録することができる。なお、各主広告主は、複数の主広告を登録してもよい。
【００６６】
ステップＳ２０において、副広告主は、副広告主端末２から広告マッチング装置３にログインする。ログインに成功すると、広告マッチング装置３はステップＳ２２に進み、図１０に示したトップ画面１０００を副広告主端末２に表示させる。副広告主により「募集に応募する。」ボタンが押下されると、副広告主端末２は図１８に示すような主広告一覧画面１６００を副広告主端末２に表示させる。
【００６７】
図１８は主広告一覧画面１６００の一例を示すイメージ図である。図１８の主広告一覧画面１６００には、主広告主により登録された主広告が一覧表示される。また、主広告一覧画面１６００は、検索機能の一例としてのキーワード検索機能が設けられている。例えば副広告主はステップＳ２４においてキーワードなどの検索条件を主広告一覧画面１６００のキーワード検索欄に入力して検索要求を行うことができる。
【００６８】
ステップＳ２６において、副広告主端末２は検索条件を指定して主広告検索要求を広告マッチング装置３に送信し、ステップＳ２８で検索結果を受信することで、検索条件に合致する主広告が一覧表示された主広告一覧画面１６００を表示する。なお、主広告一覧画面１６００には一覧表示された主広告ごとに「選択」ボタンと「詳細」ボタンとが設けられている。
【００６９】
副広告主は、例えば主広告一覧画面１６００の「選択」ボタンを押下することで主広告を選択できる。また、副広告主は主広告一覧画面１６００の「詳細」ボタンを押下することで主広告の詳細を副広告主端末２に表示させることができる。
【００７０】
本実施形態では、図１８に示すように、広告マッチング装置３は、主広告一覧画面１６００に、主広告主の広告に関する情報である「主広告主の広告画像のサンプル」「業種」「業種２」「会社名」「発送予定部数」「掲載期間」「募集広告面数」を表示している。主広告一覧画面１６００が、これらを表示することで、副広告主は、希望する広告主に対応する「選択」ボタンを押下することができる。
【００７１】
なお、本実施形態では、広告マッチング装置３は、主広告一覧画面１６００に「主広告主の広告画像のサンプル」「業種」「業種２」「会社名」「発送予定部数」「掲載期間」「募集広告面数」を表示しているが、これらに限らず、主広告主からのコメント表示する「コメント欄」を設けてもよい。また、副広告主が、希望する主広告主を選択できる範囲であれば、適宜主広告一覧画面１６００に表示する情報を変更してもよい。なお、広告一覧画面１６００に表示されていない情報は、副広告主が「詳細」ボタンを押下することでポップアップウィンドウ等に表示するようにしてもよい。また、副広告主が「詳細」ボタンを押下することで、主広告主が選択した使用広告面数の指定を確認できるようにしてもよい。
【００７２】
副広告主端末２はステップＳ３０に進み、例えば図１７に示すような副広告登録受付処理を行う。図１７は副広告登録受付処理の一例を示すフローチャートである。ステップＳ６０において、副広告主端末２は主広告一覧画面１６００において副広告主から主広告の選択を受け付ける。ここで選択される主広告は副広告主が一緒にＤＭを発送したい主広告主の主広告である。
【００７３】
ステップＳ６２に進み、副広告主端末２は図１９に示すような副広告情報登録画面１７００を表示して、副広告主から副広告情報の登録を受け付ける。図１９は副広告情報登録画面１７００の一例を示すイメージ図である。
【００７４】
図１９の副広告情報登録画面１７００では、副広告情報の一例として、ＤＭ名、発送予定日、承認希望日、発送予定部数、宛先エリア、ＤＭターゲット性別、ＤＭターゲット年齢及びＤＭターゲット趣味を副広告主に登録させる。その後、副広告主は、副広告情報登録画面１７００の「登録する」ボタンを押下する。
【００７５】
「登録する」ボタンが押下されると、副広告主端末２はステップＳ６４に進み、図１５に示した広告画像アップロード画面１４００又は図１６に示した広告画像アップロード画面１５００等を表示し、副広告主からテンプレートに応じた広告画像の登録（広告画像のファイル選択）を受け付ける。
【００７６】
図９に戻り説明を続ける。ステップＳ３０の副広告登録受付処理が終了すると、副広告主端末２はステップＳ３２に進み、副広告主から登録された副広告情報及び広告画像の登録要求を広告マッチング装置３に送信する。なお、ステップＳ３２の処理は、副広告情報及び広告画像の登録要求を複数回に分けて要求してもよい。
【００７７】
ステップＳ３２の登録要求を受信した広告マッチング装置３はステップＳ３４の副広告登録処理を行う。ステップＳ３４の副広告登録処理において、広告マッチング装置３は当該副広告に副広告ＩＤを割り当て、副広告情報記憶部２６に保存（登録）する。
【００７８】
また、広告マッチング装置３は副広告主端末２から受信した広告画像を副広告ＩＤと対応付けて広告画像記憶部２８に保存（登録）する。これにより、副広告ＩＤを介して、副広告情報と副広告の広告画像とが対応付けられる。
【００７９】
さらに、広告マッチング装置３は、副広告登録受付処理において副広告主が選択した主広告の主広告ＩＤと、副広告登録受付処理において副広告主が登録した副広告の副広告ＩＤと、副広告の発送申請部数と、ステータスとを対応付けて広告マッチング情報記憶部３０に保存（登録）する。これにより、広告マッチングの申請を受け付けた主広告と、その申請を行った副広告とが対応付けられる。
【００８０】
ステップＳ２０〜Ｓ３４の処理により、副広告主は、一緒にＤＭを発送したい主広告を選択した上で、自身の副広告を広告マッチング装置３に登録することができる。なお、副広告主は、複数の副広告を登録してもよい。そして、ステップＳ３４の副広告登録処理を終えた広告マッチング装置３はステップＳ３６に進み、広告マッチングの申請を受け付けた主広告の主広告主に対して広告マッチングの申請を通知する。
【００８１】
これにより、主広告主はステップＳ１０〜Ｓ１８の処理により広告マッチング装置３に登録した主広告に対して、副広告主からの広告マッチングの申請があったことを認識することができる。
【００８２】
図２０は申請の承認処理の一例を示すシーケンス図である。例えば広告マッチングの申請を通知された主広告主はステップＳ８０において、主広告主端末１から広告マッチング装置３にログインする。ログインに成功すると、広告マッチング装置３はステップＳ８２に進み、図１０に示したトップ画面１０００を主広告主端末１に表示させる。ステップＳ８４において主広告主により「申請状況の確認」ボタンが押下されると、主広告主端末１はステップＳ８６に進み、申請状況の確認要求を広告マッチング装置３に送信する。
【００８３】
ステップＳ８８において、広告マッチング装置３はステップＳ８０でログインした主広告主の主広告主ＩＤをキーとして主広告情報記憶部２４を検索し、その主広告主が登録した主広告の主広告ＩＤを取得する。そして、広告マッチング装置３は取得した主広告ＩＤをキーとして広告マッチング情報記憶部３０を検索することで、その主広告主が登録した主広告に対する申請状況の情報を取得できる。
【００８４】
ステップＳ８８に進み、広告マッチング装置３は広告マッチング情報記憶部３０から取得した申請状況の情報を主広告主端末１に送信する。広告マッチング装置３から申請状況の情報を受信した主広告主端末１は、例えば図２１に示すような申請承認画面１８００を表示する。
【００８５】
図２１は申請承認画面１８００の一例を示すイメージ図である。図２１の申請承認画面１８００には、主広告主端末１を操作する主広告主により登録された主広告に対する申請状況が一覧表示される。また、図２１の申請承認画面１８００には、一覧表示された主広告ごとに「承認」ボタンと「仮承認」ボタンと「取下げ」ボタンとが設けられている。
【００８６】
主広告主は、例えば申請承認画面１８００の「承認」ボタンを押下することで、一覧表示された主広告の申請ごとに承認を行い、ステータスを承認済みに変更できる。また、主広告主は、例えば申請承認画面１８００の「仮承認」ボタンを押下することで、一覧表示された主広告の申請ごとに仮承認を行い、ステータスを仮承認に変更できる。さらに、主広告主は、例えば申請承認画面１８００の「取下げ」ボタンを押下することで、一覧表示された主広告の申請ごとに取下げを行い、ステータスを取下げに変更できる。
【００８７】
ここで、承認とは副広告主から申請された副広告との広告マッチングを受け入れる意思表示である。承認することにより、主広告の広告画像と副広告の広告画像とは一緒のＤＭで顧客に発送される。取下げとは、副広告主から申請された副広告との広告マッチングを受け入れない意思表示である。取下げることにより、主広告の広告画像と副広告の広告画像とは一緒のＤＭで顧客に発送されない。
【００８８】
仮承認とは、副広告主から申請された副広告との広告マッチングをそのまま受け入れることができないが、受け入れの可能性が残されていることの意思表示である。例えば主広告主は副広告情報の一部の項目や副広告の広告画像の一部の内容を変更すれば承認できると考えた場合、ステータスを仮承認に変更した上で、副広告主との協議を行う。
【００８９】
例えばステータスが「仮承認」の主広告は掲載期間が経過しても所定期間、申請承認画面１８００から消えないようにする運用が考えられる。このような運用により、主広告主は副広告主との協議を続けたい主広告のステータスを「承認待ち」から「仮承認」に変更することで、協議を継続できる。なお、ステータスが「承認待ち」のまま掲載期間が経過した主広告は、図２１の申請承認画面１８００の一覧に表示されなくなる。
【００９０】
また、図２１の申請承認画面１８００には、一覧表示された主広告ごとに「詳細」ボタンが設けられている。主広告主は、例えば申請承認画面１８００の「詳細」ボタンを押下することで、一覧表示された主広告の申請ごとに、副広告主の情報を図２２のように表示できる。図２２は申請広告主情報画面１９００の一例を示すイメージ図である。図２２の申請広告主情報画面１９００により、主広告主は申請を承認するか否かの判断に、申請を行った副広告主の副広告情報を利用できる。
【００９１】
さらに、図２１の申請承認画面１８００には、一覧表示された主広告ごとに、副広告の広告画像を表示させるための「ＰＤＦ」ボタンが設けられている。主広告主は、例えば申請承認画面１８００の「ＰＤＦ」ボタンを押下することで、一覧表示された主広告の申請ごとに、副広告主の広告画像を表示できる。主広告主は副広告主の広告画像を参照した上で申請を承認するか否かを判断できる。
【００９２】
なお、副広告主端末２に表示されたトップ画面１０００の「申請状況の確認」ボタンが副広告主により押下されると、副広告主端末２は例えば図２３に示すような申請状況確認画面２０００を表示する。図２３は申請状況確認画面２０００の一例を示すイメージ図である。図２３の申請状況確認画面２０００には、副広告主端末２を操作する副広告主により登録された申請中の副広告に対する承認状況が一覧表示される。
【００９３】
図２３の申請状況確認画面２０００には、一覧表示された申請中の副広告ごとに「取下げ」ボタンが設けられている。副広告主はステータスが承認待ちであれば、例えば申請状況確認画面２０００の「取下げ」ボタンを押下することで一覧表示された申請中の副広告を取り下げることができる。
【００９４】
図２０に戻り説明を続ける。ステップＳ９０において、主広告主は図２１の申請承認画面１８００において、承認、仮承認又は取下げなどの申請の承認処理を行う。ステップＳ９２に進み、主広告主端末１はステップＳ９０の申請の承認結果を広告マッチング装置３に送信する。
【００９５】
申請の承認結果を受信した広告マッチング装置３はステップＳ９４に進み、図２４に示すような承認結果に応じた処理を行う。図２４は、承認結果に応じた処理の一例を示すフローチャートである。
【００９６】
ステップＳ１００において、広告マッチング装置３は申請の承認結果が「承認」であるか判定する。申請の承認結果が「承認」でなければ広告マッチング装置３はステップＳ１０２の処理をスキップする。申請の承認結果が「承認」であれば、広告マッチング装置３はステップＳ１０２において、申請の承認結果に対応する図８の広告マッチング情報のステータスを承認に更新する。
【００９７】
ステップＳ１０４において、広告マッチング装置３は申請の承認結果が「仮承認」であるか判定する。申請の承認結果が「仮承認」でなければ広告マッチング装置３はステップＳ１０６の処理をスキップする。申請の承認結果が「仮承認」であれば、広告マッチング装置３はステップＳ１０６において、申請の承認結果に対応する図８の広告マッチング情報のステータスを仮承認に更新する。
【００９８】
ステップＳ１０８において、広告マッチング装置３は申請の承認結果が「取下げ」であるか判定する。申請の承認結果が「取下げ」でなければ広告マッチング装置３はステップＳ１１０の処理をスキップする。申請の承認結果が「取下げ」であれば、広告マッチング装置３はステップＳ１１０において、申請の承認結果に対応する図８の広告マッチング情報のステータスを取下げに更新する。
【００９９】
図２４の承認結果に応じた処理によれば、主広告主端末１で行われた申請の承認結果で図８の広告マッチング情報のステータスを更新できる。図２０に戻り、説明を続ける。広告マッチング装置３はステップＳ９６に進み、主広告主端末１で行われた申請の承認結果を副広告主端末２に通知する。これにより、副広告主は広告マッチングの申請に対する承認結果を確認できる。
【０１００】
図２５は印刷発注処理の一例を示すフローチャートである。広告マッチング装置３は図２５の印刷発注処理により、広告マッチングが成立したＤＭの印刷発注だけでなく、広告マッチングが成立しなかったＤＭの印刷発注も行うことができる。
【０１０１】
ステップＳ１２０に進み、広告マッチング装置３は図８の広告マッチング情報を参照してステータスが「承認」の広告マッチング情報があるか否かを判定する。広告マッチング装置３はステータスが「承認」の広告マッチング情報がなければ、ステップＳ１２２の処理をスキップする。広告マッチング装置３はステータスが「承認」の広告マッチング情報があれば、広告マッチングが成立したと判定し、ステップＳ１２２の印刷業者への発注処理を行う。
【０１０２】
ステップＳ１２２において、広告マッチング装置３は広告マッチングが成立したと判定した広告マッチング情報に対応付いた主広告、副広告及び宛先情報を利用した印刷業者への発注処理を行う。ステップＳ１２２の印刷業者への発注処理によれば、主広告の広告画像と副広告の広告画像とが一緒に印刷されたＤＭを顧客に発送できる。
【０１０３】
ステップＳ１２４に進み、広告マッチング装置３は図６の主広告情報を参照して掲載期間が経過した広告マッチング情報があるか否かを判定する。広告マッチング装置３は掲載期間が経過した広告マッチング情報がなければ、ステップＳ１２６〜Ｓ１３０の処理をスキップする。広告マッチング装置３は掲載期間が経過した広告マッチング情報があればステップＳ１２６に進む。
【０１０４】
ステップＳ１２６において、広告マッチング装置３は掲載期間が経過した広告マッチング情報のステータスが「仮承認」であるか否かを判定する。広告マッチング装置３は掲載期間が経過した広告マッチング情報のステータスが「仮承認」でなければ、ステップＳ１３０に進む。また、広告マッチング装置３は掲載期間が経過した広告マッチング情報のステータスが「仮承認」であれば、ステップＳ１２８に進む。
【０１０５】
ステップＳ１２８において、広告マッチング装置３は掲載期間が経過した広告マッチング情報のステータスが「仮承認」であり、且つ、承認希望日を経過しているか否かを判定する。
【０１０６】
広告マッチング装置３は掲載期間が経過した広告マッチング情報のステータスが「仮承認」であり、且つ、承認希望日を経過していなければ、掲載期間経過後の猶予期間中であると判定し、ステップＳ１３０の処理をスキップする。広告マッチング装置３は掲載期間が経過した広告マッチング情報のステータスが「仮承認」であり、且つ、承認希望日を経過していれば、掲載期間経過後の猶予期間も経過したと判定し、ステップＳ１３０の処理を行う。
【０１０７】
ステップＳ１３０において、広告マッチング装置３は広告マッチングが成立しなかったと判定した広告マッチング情報に対応付いた主広告、汎用広告などの画像及び宛先情報を利用した印刷業者への発注処理を行う。汎用広告などの画像は、広告マッチングが成立しなかった場合に副広告の替わりに募集広告面を埋める画像の一例である。ステップＳ１３０の印刷業者への発注処理によれば、広告マッチングが不成立であっても、汎用広告などの画像と主広告の広告画像とが印刷されたＤＭを顧客に発送できる。
【０１０８】
ステップＳ１３０の印刷業者への発注処理は例えば図２６に示すフローチャートのように実行される。図２６は、広告マッチングが不成立であった場合の印刷業者への発注処理の一例を示すフローチャートである。
【０１０９】
ステップＳ１４０において、広告マッチング装置３は広告マッチングが成立しなかったと判定した広告マッチング情報に対応付いた主広告の広告画像データを広告画像記憶部２８から取得する。また、ステップＳ１４２において、広告マッチング装置３は広告画像記憶部２８から例えば汎用広告の広告画像データを取得する。
【０１１０】
ステップＳ１４４に進み、広告マッチング装置３は広告マッチングが成立しなかった広告マッチング情報と対応付いた宛先情報を宛先情報記憶部２０から取得する。ステップＳ１４６に進み、広告マッチング装置３は募集広告面数分の汎用広告の広告画像データ、主広告の広告画像データ、及び顧客の宛先情報を利用して印刷業者への発注処理を行う。
【０１１１】
図２７は広告マッチングが成立の場合と不成立の場合との印刷画像の違いの一例を示す図である。図２７は選択されたテンプレートが「２枚もの」の葉書であり、募集広告面数が１面である例を示している。図２７（ａ）は４面ある葉書における３面の主印刷面と１面の募集広告面とを示している。図２７（ｂ）は広告マッチングが成立した場合に募集広告面が副広告面として利用されることを示している。また、図２７（ｃ）は広告マッチングが不成立であった場合に募集広告面が汎用広告面として利用されることを示している。
【０１１２】
図２６のフローチャートによれば、広告マッチングが不成立となっても募集広告面が不自然に空白となることがない。また、主広告主は送料を汎用広告主などと分担し、主広告主のコストを削減することもできる。
【０１１３】
図２８は広告マッチング装置３からの印刷発注の一例を示すシーケンス図である。図２８のシーケンス図では、印刷を実行するための印刷画像データを添付して印刷発注を行う例と、広告画像と顧客の宛先情報とを添付して印刷発注を行う例と、を示している。
【０１１４】
ステップＳ１６０〜Ｓ１６８の処理は広告画像と顧客の宛先情報とを添付して印刷発注を行う例を示している。また、ステップＳ１８０〜Ｓ１８６の処理は印刷を実行するための印刷画像データを添付して印刷発注を行う例を示している。なお、図２８ではステップＳ１６０〜Ｓ１６８の処理の後に、ステップＳ１８０〜Ｓ１８６の処理が行われるシーケンス図を記載したが、これに限らない。ステップＳ１６０〜Ｓ１６８の処理と、ステップＳ１８０〜Ｓ１８６の処理とは、それぞれ独立して処理できる。
【０１１５】
ステップＳ１６０において、広告マッチング装置３は宛先情報記憶部２０から宛先情報を読み出し、広告画像記憶部２８から広告画像データを読み出す。ステップＳ１６２において、広告マッチング装置３は宛先情報、広告画像データを添付して印刷業者端末５に印刷発注を行う。ステップＳ１６４において、印刷業者端末５は印刷画像生成機能を有するアプリケーション等を利用し、印刷発注に添付されていた宛先情報及び広告画像データを含む印刷画像データを生成する。
【０１１６】
ステップＳ１６６において、印刷業者端末５は印刷画像データを送信し、印刷装置６に印刷要求を行う。ステップＳ１６８において、印刷装置６は選択されたテンプレートの葉書への印刷画像データの印刷を実行する。ステップＳ１６０〜Ｓ１６８の処理では、印刷画像データの生成を広告マッチング装置３で行わず、印刷業者への発注を行う。
【０１１７】
ステップＳ１８０において、広告マッチング装置３は宛先情報記憶部２０から宛先情報を読み出し、広告画像記憶部２８から広告画像データを読み出す。ステップＳ１８２において、広告マッチング装置３は印刷画像生成機能を利用し、読み出した宛先情報及び広告画像データを含む印刷画像データを生成する。
【０１１８】
ステップＳ１８４において、広告マッチング装置３は印刷画像データを添付して印刷装置４に印刷発注（印刷要求）を行う。ステップＳ１８６において、印刷装置４は選択されたテンプレートの葉書への印刷画像データの印刷を実行する。ステップＳ１８０〜Ｓ１８６の処理では、印刷画像データの生成を広告マッチング装置３で行い、印刷装置４への発注を行う。
【０１１９】
なお、印刷発注後、広告マッチング装置３は主広告情報記憶部２４に保存されている主広告情報、副広告情報記憶部２６に保存されている副広告情報、広告画像記憶部２８に保存されている広告画像、及び広告マッチング情報記憶部３０に保存されている広告マッチング情報を更新する。
【０１２０】
広告マッチング装置３による主広告情報、副広告情報、広告画像、及び広告マッチング情報の更新は、対応するレコードの削除であってもよいし、別の記憶部への移動であってもよいし、ステータスの変更であってもよい。
【０１２１】
以上、本実施形態によれば、主広告主は、自身の主広告を副広告と共にＤＭで発送することにより、ＤＭの送料を削減できる。また、副広告主は、主広告主の顧客情報を利用したＤＭで自身の副広告を主広告と共にＤＭで発送できる。
【０１２２】
主広告主はマッチングの申請を承認しないこともできるので、意図しない副広告主や意図しない副広告と広告マッチングされることもない。また、副広告主は広告マッチング装置３に登録された主広告の中からマッチングの申請を行う主広告を選択できるので、意図しない主広告主や意図しない主広告と広告マッチングされることもない。
【０１２３】
なお、本実施形態によれば、主広告主が有する顧客情報に、副広告主をアクセスさせることなく、広告マッチングによるＤＭの発送ができる。したがって、本実施形態によれば主広告主が有する顧客情報の漏えいを抑制できる。さらに、本実施形態によれば、副広告主は、自身の副広告と共にＤＭを発送する主広告として、相乗効果が得られる主広告を選択することにより、副広告の広告効果を向上させることができる。例えば、副広告がゴルフ場を宣伝する広告である場合、当該副広告と共に発送する主広告として、ゴルフ用品を宣伝する広告や、ゴルフ場の近隣のホテルを宣伝する広告を選択することにより、副広告を単独のＤＭで発送する場合に比べて大きな広告効果が期待できる。
【０１２４】
＜第２実施形態＞
第１実施形態に係る広告マッチングシステム１００は、主広告主からの主広告の登録を受け付け、その主広告と一緒に副広告をＤＭで発送したい副広告主からマッチングの申請を受け付ける。そして、第１実施形態に係る広告マッチングシステム１００は、申請を承認した主広告主の主広告と、申請を承認された副広告主の副広告と、主広告主の顧客の宛先と、を一緒のＤＭに印刷して発送していた。
【０１２５】
第２実施形態に係る広告マッチングシステム１００は、副広告主からの副広告の登録を受け付け、その副広告と一緒に主広告をＤＭで発送したい主広告主からマッチングの申請を受け付ける。そして、第２実施形態に係る広告マッチングシステム１００は、申請を承認した副広告主の副広告と、申請を承認された主広告主の主広告と、主広告主の顧客の宛先と、を一緒のＤＭに印刷して発送するものである。なお、第２実施形態は第１実施形態とマッチングの申請をする側とマッチングの申請を承認する側とが入れ替わっている点で異なっているが、主広告主の顧客の宛先を利用する点で同一である。
【０１２６】
本実施形態によれば、副広告主はマッチングの申請を承認しないことができるので、意図しない主広告主や意図しない主広告と広告マッチングされることもない。また、主広告主は広告マッチング装置３に登録された副広告の中からマッチングの申請を行う副広告を選択できるので、意図しない副広告主や意図しない副広告と広告マッチングされることもない。
【０１２７】
なお、本実施形態によれば、主広告主は、自身の主広告と共にＤＭを発送する副広告として、相乗効果が得られる副広告を選択することにより、主広告の広告効果を向上させることができる。例えば、主広告がゴルフ場を宣伝する広告である場合、当該主広告と共に発送する副広告として、ゴルフ用品を宣伝する広告や、ゴルフ場の近隣のホテルを宣伝する広告を選択することにより、主広告を単独のＤＭで発送する場合に比べて大きな広告効果が期待できる。
【０１２８】
＜その他の実施形態＞
前述した図２１の申請承認画面１８００は、主広告主に「仮承認」ボタンを押下された場合に、仮承認した理由をコメント等で入力させるようにしてもよい。主広告主に入力された仮承認した理由を副広告主に示すことにより、広告マッチング装置３は主広告主が承認でなく仮承認とした理由を副広告主に確認させることができる。例えば副広告主は主広告主が承認でなく仮承認とした理由をヒントに、副広告情報や副広告の広告画像を修正することで仮承認から承認に変更される可能性を高めることができる。
【０１２９】
また、前述した図２１の申請承認画面１８００は、主広告主に「取下げ」ボタンを押下された場合に、取下げした理由をコメント等で入力させるようにしてもよい。主広告主に入力された取下げした理由を副広告主に示すことにより、広告マッチング装置３は主広告主が承認でなく取下げとした理由を副広告主に確認させることができる。例えば副広告主は主広告主が承認でなく取下げとした理由を、次回の広告マッチングの申請に役立てることができる。
【０１３０】
前述した図１２の主広告情報登録画面１１００は、掲載期間を複数の期間に分け、それぞれの期間ごとにＤＭターゲット情報を登録できるようにしてもよい。これにより、主広告主は掲載期間の前半に自らが所望するＤＭターゲット情報を登録し、掲載期間の後半に副広告主が申請しやすいＤＭターゲット情報を登録するなど、主広告情報の登録を工夫できる。
【０１３１】
図２９は副広告情報登録画面２１００の一例を示すイメージ図である。図２９の副広告情報登録画面２１００は「お気に入り登録」ボタンが設けられている。副広告主は「お気に入り登録」ボタンを押下することで、副広告情報登録画面２１００に表示されている主広告情報を、お気に入り登録できる。
【０１３２】
また、副広告情報登録画面２１００には、副広告情報登録画面２１００に表示されている主広告情報を、お気に入り登録した副広告主の数を例えば「★２社  この企業を２社がお気に入り登録しています。」のように表示される。副広告主は、図２９の副広告情報登録画面２１００に表示される、お気に入り登録した副広告主の数を、マッチング広告の申請の判断に利用できる。
【０１３３】
なお、上記実施形態に挙げた構成等に、その他の要素との組み合わせなど、ここで示した構成に本発明が限定されるものではない。これらの点に関しては、本発明の趣旨を逸脱しない範囲で変更可能であり、その応用形態に応じて適切に定めることができる。
【０１３４】
ステップＳ３２において副広告主端末２から広告マッチング装置３に送信される登録要求は特許請求の範囲に記載した選択情報の一例である。また、ステップＳ３６において広告マッチング装置３から主広告主端末１に送信される申請通知は申請情報の一例である。また、ステップＳ９２において主広告主端末１から広告マッチング装置３に送信される申請の承認結果（承認）は承認情報の一例である。
【０１３５】
図１４の使用広告面数指定画面１３００において、図１３で選択したテンプレートの印刷面数のうち、副広告主を募集する面数を主広告主に選択させる処理は、選択を受け付けた用紙の印刷面数のうち、副広告を募集する印刷面数が異なる印刷画像の複数の面付けパターンを主広告主に選択させる処理の一例である。葉書種別は印刷画像を印刷する用紙の種別の一例である。
【符号の説明】
【０１３６】
１、１Ａ〜１Ｃ    主広告主端末
２、２Ａ〜２Ｃ    副広告主端末
３    広告マッチング装置
４、６    印刷装置
５    印刷業者端末
１０    主広告登録部
１２    副広告登録部
１４    広告画像登録部
１６    広告マッチング部
１８    印刷発注部
２０    宛先情報記憶部
２２    広告主情報記憶部
２４    主広告情報記憶部
２６    副広告情報記憶部
２８    広告画像記憶部
３０    広告マッチング情報記憶部
１００    広告マッチングシステム
Ｎ    ネットワーク
【図１】
2020123170.tif 000003
【図２】
2020123170.tif 000004
【図３】
2020123170.tif 000005
【図４】
2020123170.tif 000006
【図５】
2020123170.tif 000007
【図６】
2020123170.tif 000008
【図７】
2020123170.tif 000009
【図８】
2020123170.tif 000010
【図９】
2020123170.tif 000011
【図１０】
2020123170.tif 000012
【図１１】
2020123170.tif 000013
【図１２】
2020123170.tif 000014
【図１３】
2020123170.tif 000015
【図１４Ａ】
2020123170.tif 000016
【図１４Ｂ】
2020123170.tif 000017
【図１５】
2020123170.tif 000018
【図１６】
2020123170.tif 000019
【図１７】
2020123170.tif 000020
【図１８】
2020123170.tif 000021
【図１９】
2020123170.tif 000022
【図２０】
2020123170.tif 000023
【図２１】
2020123170.tif 000024
【図２２】
2020123170.tif 000025
【図２３】
2020123170.tif 000026
【図２４】
2020123170.tif 000027
【図２５】
2020123170.tif 000028
【図２６】
2020123170.tif 000029
【図２７】
2020123170.tif 000030
【図２８】
2020123170.tif 000031
【図２９】
2020123170.tif 000032